(57)【要約】【課題】  利用者が移動した場合でも、簡単に移動先でその利用者宛の電話を受けることができる通信端末装置と、そのための登録サーバを提供する。【解決手段】  通信端末装置２のタグ検出部２１が無線タグ５を新たに検出すると、通信制御部２２はその無線タグ５に対応するＩＰ電話識別子を含むアカウント情報の登録を登録サーバ１に要求し、登録サーバ１の登録変更部１３は記憶部１１にアカウント情報と通信端末装置２の装置識別子を対にして登録する。以後、通信端末装置２でＩＰ電話を受けることができる。ユーザが通信端末装置２から離れると、通信制御部２２はタグ検出部２１で検出できなかった無線タグ５に対応するアカウント情報の削除を登録サーバ１に要求し、登録サーバ１の登録変更部１３は記憶部１１中のアカウント情報と通信端末装置２の装置識別子の対を削除する。以後、通信端末装置２は当該アカウント情報では着信しなくなる。【選択図】  図１
2007081774.tif 000002
【特許請求の範囲】
【請求項１】
登録サーバに登録されたＩＰ電話識別子によりＩＰ電話として利用可能な通信端末装置において、１ないし複数の無線タグを検出して該無線タグから情報を取得するタグ検出手段と、前記タグ検出手段が新たな無線タグを検出したとき該無線タグから取得した情報に従い対応するＩＰ電話識別子を含むアカウント情報を前記登録サーバに登録する通信制御手段を有することを特徴とする通信端末装置。
【請求項２】
前記通信制御手段は、前記タグ検出手段が検出しなくなった無線タグに対応するアカウント情報について、少なくとも着信しないように前記登録サーバの登録情報を変更あるいは削除することを特徴とする請求項１に記載の通信端末装置。
【請求項３】
前記通信制御手段は、前記登録サーバから該当端末不明の呼び出しコマンドを受け取ると、前記タグ検出手段に無線タグの検出を行わせ、呼び出されたＩＰ電話識別子に対応する無線タグが検出されたときにはＩＰ電話識別子を含むアカウント情報を前記登録サーバへ登録するとともに呼び出し音を鳴動させることを特徴とする請求項１または請求項２に記載の通信端末装置。
【請求項４】
少なくともＩＰ電話識別子とネットワーク装置の装置識別子とを対応づけて記憶している記憶手段と、ネットワークを通じて外部のネットワーク装置からの要求に従い前記記憶手段に記憶されている当該ネットワーク装置の登録内容の変更を行う登録変更手段と、ＩＰ電話識別子を含む呼び出しコマンドを受信したとき前記記憶手段に記憶されている前記ＩＰ電話識別子に対応する前記装置識別子のネットワーク装置へ呼び出しコマンドを転送する呼出処理手段を有し、前記呼出処理手段は、前記記憶手段に記憶されていないＩＰ電話識別子を含む呼び出しコマンドを受信したときには、前記呼び出しコマンドに該当端末不明の情報を付加してネットワークへ送出することを特徴とする登録サーバ。
【請求項５】
前記該当端末不明の情報を付加した呼び出しコマンドは、前記記憶手段に予め登録されている前記装置識別子のネットワーク装置に対して送出することを特徴とする請求項４に記載の登録サーバ。
【発明の詳細な説明】
【技術分野】
【０００１】
本発明は、ネットワークを利用して通話を実現するＩＰ電話の利用技術に関するものである。
【背景技術】
【０００２】
近年のネットワーク技術の発展とともに、インターネットなどを用いて通話を実現するＩＰ電話が広く利用されるようになってきた。ＩＰ電話では、ＳＩＰ（ｓｅｓｓｉｏｎ  ｉｎｉｔｉａｔｉｏｎ  ｐｒｏｔｏｃｏｌ）サーバなどの登録サーバにＩＰ電話番号とＩＰアドレスとが対応づけられて登録されており、ＩＰ電話番号が指定された場合に、対応するＩＰアドレスのネットワーク装置に対して着信を通知し、通話を開始する。このＩＰ電話番号とＩＰアドレスの対応付けは、従来、１台の電話機に１つの電話番号しか割り当てることができない。また、多くの場合にはＩＰ電話番号とＩＰアドレスの対応付けは開通時（あるいは開通まで）に固定的に行われるのみであった。
【０００３】
例えば、ある利用者に対してＩＰ電話がかかってきた場合、そのＩＰ電話番号に対応するＩＰアドレスのＩＰ電話機に着信し、そのＩＰ電話機が鳴動する。しかし、例えば会社であれば会議などにより、利用者がそのＩＰ電話機から離れてしまうと、ＩＰ電話を受けることができなかった。
【０００４】
近年の無線ＬＡＮなどの普及に伴い、例えばＩＰ電話用の携帯電話も考えられている。このようなＩＰ電話用の携帯電話を携行していれば、利用者が移動してもＩＰ電話の着信を受けることができる。しかし、この場合にはそれぞれの利用者に対してＩＰ電話用の携帯電話を配布し、それぞれの利用者が常にそのＩＰ電話用の携帯電話を所持しなければならない。そのため、コストが高く、また利用者にとっても煩わしく、また置き忘れるといったことも発生していた。
【０００５】
またＩＰ電話とは異なるが、一般の公衆回線網や内線網を利用する電話機においては、例えば特許文献１に記載されているように、予め利用者の内線番号と呼び出し音とを登録しておき、着呼時に得られる内線番号の利用者が近くにいれば、その内線番号に対応する呼び出し音で着信を報知し、不在であれば不在である旨を発呼者に通知するすることが考えられている。
【０００６】
しかし、この場合の電話機には電話番号あるいは内線番号が固定的に割り当てられており、その電話番号あるいは内線番号では、その電話機しか着信しない。そのため、上述のように利用者が移動した場合、移動先で電話をとることができず、相手には不在である旨が通知されるだけであった。
【０００７】
一般の公衆回線網や内線網では、転送機能を利用して、移動先に電話を転送することができる。例えば交換機に対して転送先を指定したり、あるいは、電話機側で着信した電話を別の回線を通じて転送するといったことが行われている。しかし、このような転送機能は利用者が電話機を使用して、交換機あるいは電話機に対して明示的に転送先を指定しなければならなかった。そのため、利用者は移動のたびに転送先の設定などを行わなければならず、煩雑な操作を強いられていた。
【０００８】
【特許文献１】特開２００２−３１９９９５号公報
【発明の開示】
【発明が解決しようとする課題】
【０００９】
本発明は、上述した事情に鑑みてなされたもので、利用者が移動した場合でも、簡単に移動先でその利用者宛の電話を受けることができる通信端末装置と、そのための登録サーバを提供することを目的とするものである。
【課題を解決するための手段】
【００１０】
本発明は、登録サーバに登録されたＩＰ電話識別子によりＩＰ電話として利用可能な通信端末装置において、１ないし複数の無線タグを検出して該無線タグから情報を取得するタグ検出手段と、タグ検出手段が新たな無線タグを検出したとき、その無線タグから取得した情報に従い対応するＩＰ電話識別子を含むアカウント情報を登録サーバに登録する通信制御手段を有することを特徴とするものである。また通信制御手段は、タグ検出手段が検出しなくなった無線タグに対応するアカウント情報について、少なくとも着信しないように登録サーバの登録情報を変更あるいは削除することを特徴とするものである。
【００１１】
また通信制御手段は、登録サーバから該当端末不明の呼び出しコマンドを受け取った場合には、タグ検出手段に無線タグの検出を行わせ、呼び出されたＩＰ電話識別子に対応する無線タグが検出されたときにはアカウント情報を登録サーバへの登録を行うとともに呼び出し音を鳴動させるように構成することができる。
【００１２】
また本発明は、登録サーバにおいて、少なくともＩＰ電話識別子とネットワーク装置の装置識別子とを対応づけて記憶している記憶手段と、ネットワークを通じて外部のネットワーク装置からの要求に従い、記憶手段に記憶されている当該ネットワーク装置の登録内容の変更を行う登録変更手段と、ＩＰ電話識別子を含む呼び出しコマンドを受信したとき前記記憶手段に記憶されているＩＰ電話識別子に対応する装置識別子のネットワーク装置へ呼び出しコマンドを転送する呼出処理手段を有し、呼出処理手段は、記憶手段に記憶されていないＩＰ電話識別子を含む呼び出しコマンドを受信したときには、その呼び出しコマンドに該当端末不明の情報を付加してネットワークへ送出することを特徴とするものである。このときの該当端末不明の情報を付加した呼び出しコマンドは、記憶手段に予め登録されている装置識別子のネットワーク装置に対して送出すればよい。
【発明の効果】
【００１３】
本発明によれば、通信端末装置が無線タグを検出して登録サーバへアカウント情報を登録し、その通信端末装置に着信するようになる。また、無線タグが検出できなくなれば、通信端末装置は登録サーバへのアカウント情報への変更あるいは削除を行い、その通信端末装置へ着信しなくなる。これにより、利用者は無線タグを持ち歩くだけで、近くの通信端末装置に着信するようになり、また、利用者がその通信端末装置から離れれば、その通信端末装置へ着信しなくなり、移動先の通信端末装置で着信できるようになる。このように、利用者が移動した場合でも、簡単に移動先でその利用者宛の電話を受けることができるという効果がある。
【００１４】
また、いずれの通信端末装置でも無線タグを検出していない状況で着信したときでも、着信時の呼び出しコマンドにより無線タグの検出を促し、無線タグが検出できれば通常通り通話を行うことができるという効果がある。
【発明を実施するための最良の形態】
【００１５】
図１は、本発明の実施の一形態を示すブロック図である。図中、１は登録サーバ、２，３は通信端末装置、４はネットワーク、５は無線タグ、１１は記憶部、１２は呼出処理部、１３は登録変更部、２１はタグ検出部、２２は通信制御部、２３は通話部、２４は記憶部である。図１に示した例では、登録サーバ１及び通信端末装置２，３がネットワーク４を介して通信可能に接続されている。ネットワーク４はＬＡＮやインターネットなどで構成されており、図示した以外の各種のネットワーク装置と通信が可能である。なお、以下の説明においてＩＰ電話による通話相手は任意であり、ネットワーク４上のＩＰ電話機を含むネットワーク装置であるほか、固定電話や、携帯電話を含む無線型の電話機などであってよい。
【００１６】
登録サーバ１は、ここでは例えばＳＩＰサーバ等のようにＩＰ電話の接続機能を有している。この例では、登録サーバ１は記憶部１１、呼出処理部１２、登録変更部１３などを含んで構成されている。
【００１７】
記憶部１１は、少なくともＩＰ電話識別子とネットワーク装置の装置識別子とを対応づけて記憶している。ＩＰ電話識別子は、例えば０５０で始まるＩＰ電話番号のように数字列からなる電話番号や、文字列からなる識別子である。また装置識別子は、ここではＩＰアドレスとするが、任意の名称を使用して適宜ＤＮＳサーバからＩＰアドレスを取得する構成であってもよい。図２は、記憶部１１に記憶されているＩＰ電話識別子と装置識別子の一例の説明図である。ここではＩＰ電話番号とＩＰアドレスとを対応づけた例を示している。図２にも示しているように、同じＩＰアドレスに複数のＩＰ電話番号が対応づけられていてもよい。なお、各対応づけられた情報には、このほかにも種々の情報、例えばそのＩＰ電話番号が利用可能か否かなどを含む状態を示す情報などの様々な属性情報を付加しておくことができる。なお、通話が可能な装置識別子は予め登録されているものとし、例えば図１では通信端末装置２，３の装置識別子が登録されているものとする。
【００１８】
呼出処理部１２は、ＩＰ電話機能の接続処理を行う。より詳細には、ＩＰ電話識別子を含む呼び出しコマンドを受信すると、そのＩＰ電話識別子に対応する装置識別子を記憶部１１から読み出し、その装置識別子により特定されるネットワーク装置へ呼び出しコマンドを転送する。呼び出しコマンドを転送したネットワーク装置から応答コマンドを受け取ると、その応答コマンドを呼び出しコマンドの送信元へ返送することにより接続時の処理を行う。
【００１９】
この呼出処理部１２において呼び出しコマンドを受信したとき、ＩＰ電話識別子に対応する装置識別子が記憶部１１に登録されていない場合には、受信した呼び出しコマンドに該当端末不明の情報を付加し、記憶部１１に登録されている各ネットワーク装置に対してネットワーク４を通じて送出する。後述するように、ＩＰ電話識別子に対応する無線タグが検出されたネットワーク装置は応答コマンドを返すとともに記憶部１１への登録を行うので、以後は通常の接続時の処理を行えばよい。
【００２０】
登録変更部１３は、ネットワーク４を通じて通信端末装置２，３などからの要求に従い、記憶部１１に記憶されている当該通信端末装置に対応する登録内容の変更を行う。
【００２１】
通信端末装置２，３は、いずれもＩＰ電話機能を有しており、登録サーバ１に登録されたＩＰ電話識別子により呼び出される。また、無線タグの検出機能を有しており、検出した無線タグに対応するＩＰ電話識別子による着信を可能にする。なお、図１では通信端末装置２について構成を示し、以下に説明するが、通信端末装置３についても同様である。
【００２２】
通信端末装置２（及び通信端末装置３）は、タグ検出部２１、通信制御部２２、通話部２３、記憶部２４等を含んで構成されている。タグ検出部２１は、１ないし複数の無線タグ５を検出して、その無線タグ５から情報を取得する。無線タグ５は、ＩＰ電話の利用者が所持している例えばＲＦＩＤタグなどであり、ＩＰ電話識別子あるいはＩＰ電話識別子に対応するＩＤ情報等が登録されている。タグ検出部２１は、無線タグ５への呼出信号に対する応答信号を検出し、無線タグ５に登録されている情報を読み出して取得する。取得した情報は、記憶部２４に記憶されている無線タグ５の情報と照合し、記憶部２４に記憶されていなければ新たな無線タグ５が検出されたものとし、通信制御部２２に対してその旨を通知する。また、記憶部２４に記憶されている無線タグ５の情報が取得できなかった場合には、その無線タグ５は検出範囲に存在しないものとして、通信制御部２２に対してその旨を通知する。無線タグ５の検出は、例えば定期的に行い、また後述する通信制御部２２からの制御に従って行うことができる。
【００２３】
通信制御部２２は、ネットワーク４を通じてＩＰ電話機能を実現するための通信制御を行う。例えば登録サーバ１から呼び出しコマンドを受信すると呼び出し音を鳴動させ、通話部２３がオフフック状態となると応答コマンドを登録サーバ１へ返す。その後、発信元との間でＩＰ電話による通話のための通信を行う。
【００２４】
また通信制御部２２は、タグ検出部２１が新たな無線タグ５を検出したとき、検出した無線タグ５から取得した情報に従い、対応するＩＰ電話識別子を含むアカウント情報を登録サーバ１に登録する。これによって、検出した無線タグ５に対応するＩＰ電話識別子で着信するようになる。逆にタグ検出部２１が検出しなくなった無線タグ５に対応するアカウント情報について、少なくとも着信しないように登録サーバ１に対して登録情報の変更あるいは削除を要求する。
【００２５】
さらに通信制御部２２は、登録サーバ１から該当端末不明の呼び出しコマンドを受け取ると、タグ検出部２１に無線タグ５の検出を行わせる。呼び出されたＩＰ電話識別子に対応する無線タグがタグ検出部２１で検出されたときには、ＩＰ電話識別子を含むアカウント情報を登録サーバ１へ登録するとともに呼び出し音を鳴動させ、以後、通常の呼び出しコマンドを受け取った場合と同様に通信制御を行う。
【００２６】
通話部２３は、受話器などのようにスピーカ及びマイクロフォンを含み、通話を行うためのものである。
【００２７】
記憶部２４は、装置内で記憶する必要がある情報を記憶する。特にここでは、タグ検出部２１で検出した無線タグ５の情報を記憶しておくことができる。無線タグ５の情報としては、タグ検出部２１で無線タグ５から取得した情報そのものでもよいし、対応するアカウント情報など、それぞれの無線タグ５が識別できればどのような情報であってもよい。
【００２８】
次に、本発明の実施の一形態における動作の一例について説明する。なお、ここでは通信端末装置側の動作として通信端末装置２の動作を説明しているが、通信端末装置３についても同様である。図３は、通信端末装置における無線タグ検出時の動作の一例を示すフローチャートである。Ｓ３１において、タグ検出部２１は無線タグ５の検出を行い、検出できなければこの処理を終了する。１ないし複数の無線タグ５を検出できた場合には、Ｓ３２において、検出された無線タグ５の１つから情報を取得する。Ｓ３３において、取得された情報あるいは対応する情報が記憶部２４に記憶されているか否かを判定し、記憶されていれば新規登録は行わずにそのままＳ３７へ進む。
【００２９】
取得された情報あるいは対応する情報が記憶部２４に記憶されていなかった場合には、検出した無線タグ５は新たに検出したものとして、通信制御部２２は登録サーバ１への登録を行う。登録時の処理として、まずＳ３４において、無線タグ５から取得した情報に対応する、ＩＰ電話識別子を含むアカウント情報を取得する。アカウント情報は、例えば当該通信端末装置を利用するユーザが所持している無線タグとアカウント情報を予め対応づけて記憶部２４に記憶させておいてもよいし、あるいはネットワーク４を通じて他のサーバなどから取得してもよい。
【００３０】
そしてＳ３５において、Ｓ３４で取得したアカウント情報を登録サーバ１へ送り、登録を依頼する。これによって、新たに検出した無線タグ５に対応するＩＰ電話識別子により、この通信端末装置２が着信できるようになる。なお、新たに検出した無線タグ５の情報を、ここではアカウント情報とともに、Ｓ３６で記憶部２４に記憶させておく。
【００３１】
Ｓ３７において、検出したすべての無線タグ５についての処理を終えたか否かを判定し、複数の無線タグ５を検出してまだ未処理のものがある場合には、Ｓ３２へ戻って、次の未処理の無線タグ５についての処理を行う。
【００３２】
検出したすべての無線タグ５についての処理を終えたら、Ｓ３８において、記憶部２４に記憶されている無線タグ５の情報であって、今回検出できなかった無線タグ５の情報が存在するか否かを判定する。存在しなければこの処理を終了する。
【００３３】
今回検出できなかった無線タグ５の情報が存在する場合には、Ｓ３９において、その無線タグ５に対応するアカウント情報の削除あるいは着信しないような変更を登録サーバ１に依頼する。これによって、以後はその無線タグ５に対応するＩＰ電話識別子で着信しなくなる。またＳ４０において、その無線タグ５の情報を、ここではアカウント情報とともに、記憶部２４から削除して、この処理を終了する。なお、検出できなかった無線タグ５の削除の処理は、例えば電波状況なども考慮し、複数回連続して検出できなかった場合や、所定時間検出できなかった場合に行うようにしてもよい。
【００３４】
このような通信端末装置２における動作に伴う登録サーバ１の動作としては、Ｓ３５における登録の要求については、登録変更部１３がＩＰ電話識別子を含むアカウント情報と通信端末装置２のＩＰアドレスなどの装置識別子とを対応づけて登録する。例えば図２に示したアカウント情報と装置識別子の対を追加すればよい。また、Ｓ３９における削除又は変更の要求については、送られてきたアカウント情報及び要求元の通信端末装置２の装置識別子を対応づけた情報を登録変更部１３が削除すればよい。例えば図２に示した対応するアカウント情報と装置識別子の対を削除すればよい。
【００３５】
なお、例えばアカウント情報は予め登録しておいて、対応する装置識別子を登録あるいは削除又は変更するように構成してもよい。あるいは、削除時には着信できない旨の属性を付加しておいて、登録時に装置識別子及び属性を書き換えるように構成することもできる。
【００３６】
次に、ＩＰ電話の着信時の処理について、登録サーバ１及び通信端末装置２の動作の一例について、その概要を説明する。なお、通信端末装置３についても同様である。図４は、登録サーバにおける着信時の動作の一例を示すフローチャートである。Ｓ５１において呼び出し処理部１２が呼び出しコマンドを受け取ると、Ｓ５２において、その呼び出しコマンドで指定されているＩＰ電話識別子をもとに記憶部１１を検索し、アカウント情報が登録済みであるか否かを判定する。
【００３７】
アカウント情報が登録済みであれば、対応する装置識別子を取得し、Ｓ５３においてその装置識別子のネットワーク装置へ呼び出しコマンドを転送する。Ｓ５６において、呼び出しコマンドを転送したネットワーク装置から応答コマンドを受信したか否かを判定し、応答コマンドを受信した場合には、Ｓ５７において、呼び出し元へ応答コマンドを転送して着信時の処理を終える。これによって、呼び出し元のネットワーク装置と呼び出されたネットワーク装置との間での通話が可能になる。Ｓ５６で応答コマンドを受信できなかった場合には、Ｓ５８において、呼び出し元へエラー応答を行い、処理を終える。
【００３８】
Ｓ５２でアカウント情報が記憶部１１に登録されていなかった場合には、Ｓ５４においてＳ５１で受け取った呼び出しコマンドに該当端末不明の情報を付加し、Ｓ５５において予め登録されているすべてのネットワーク装置に対して該当端末不明の情報を付加した呼び出しコマンドを転送する。
【００３９】
この呼び出しコマンドの転送に対する応答コマンドを待ち、例えば所定時間内に応答コマンドを受信したか否かをＳ５６において判定する。応答コマンドを受信した場合には、Ｓ５７において、受信した応答コマンドを呼び出し元へ転送して処理を終える。以後は呼び出し元のネットワーク装置と応答コマンドを返したネットワーク装置との間で通信を行い、ＩＰ電話として通話を行うことができる。また、例えば所定時間経過しても応答コマンドを受信できない場合には、呼び出し元へエラー応答を行い、着信時の処理を終える。
【００４０】
図５は、通信端末装置における着信時の動作の一例を示すフローチャートである。Ｓ６１において登録サーバ１から呼び出しコマンドを受信したら、Ｓ６２において、受信した呼び出しコマンドに該当端末不明の情報が付加されているか否かを判定する。該当端末不明の情報が付加されていなければ、当該通信端末装置への呼び出しコマンドであるので、Ｓ６３において呼び出し音を鳴動させる。このとき、例えば呼び出しコマンド中のＩＰ電話識別子などのアカウント情報をもとに、それぞれのアカウント情報に対応した呼び出し音を鳴動させることもできる。呼び出し音は、アカウント情報中に予め設定しておけばよい。これにより、ユーザはどこにいても同じ呼び出し音で着信を知ることができる。
【００４１】
Ｓ６４において、呼び出し音に対してユーザが応答するまで待つ。例えば通話部２３でハンドセットをオフフックしたか否かなどを判定し、オフフックを待てばよい。もちろんキー操作など他の方法で応答する構成でもよい。ユーザが応答したら、Ｓ６５において、応答コマンドを登録サーバ１へ返し、その後はＳ６６において呼び出し元との間で通話のための処理を行う。
【００４２】
Ｓ６２で呼び出しコマンドに該当端末不明の情報が付加されていると判定された場合には、Ｓ６７において、タグ検出部２１による無線タグ５の検出を行う。この無線タグ５の検出の結果、受け取った呼び出しコマンド中に含まれるＩＰ電話識別子などのアカウント情報に対応する無線タグ５が存在するか否かをＳ６８において判断する。存在しなければ、この呼び出しコマンドに対する処理をそのまま終了する。
【００４３】
対応する無線タグ５の存在を検出した場合には、Ｓ６９において、検出した無線タグ５に対応するアカウント情報を登録サーバ１へ送り、登録を依頼する。またＳ７０において、検出した無線タグ５の情報を、ここではアカウント情報とともに記憶部２４に記憶させておく。そしてＳ６３へ進み、呼び出し音を鳴動させて以降の着信時の処理を行う。これによって、登録サーバ１への登録が行われる前に着信した場合でも、着信時に各通信端末装置において無線タグ５の検出を行うことによって、通話が可能になる。
【００４４】
図６、図７は、本発明の実施の一形態における動作の具体例の説明図である。以下に説明する例では、通信端末装置２のＩＰアドレスを１９２．１６８．０．１とし、通信端末装置３のＩＰアドレスを１９２．１６８．０．２として、登録サーバに登録する端末識別子をＩＰアドレスとしている。また、各ユーザが所持する無線タグ５にはタグ情報としてタグコードが割り当てられており、それぞれ０００１，０００２，０００３などとして示している。さらにアカウント情報として０５０で始まるＩＰ電話番号であるものとし、この例では０５０に続く部分を図示の都合上アルファベットにより示している。
【００４５】
図６では、タグコード０００２の無線タグ５を所持したユーザが通信端末装置２に近づいた場合を示している。例えば通信端末装置２がそのユーザの部署に設置されており、ユーザが自席についた場合などが想定される。この場合、通信端末装置２は所定のタイミングでユーザが所持する無線タグ５を検出すると、図３に示したＳ３４，Ｓ３５の動作によって、検出した無線タグ５からタグコードを読み出して、対応するアカウント情報を登録サーバ１へ登録する。これによって、登録サーバ１にはタグコード０００２に対応するアカウント情報としてＩＰ電話番号「０５０ｒｒｒｒｓｓｓｓ」と通信端末装置２の端末識別子としてＩＰアドレス「１９２．１６８．０．１」とが登録され、以後はそのユーザのＩＰ電話番号での着信を通信端末装置２で受けることができる。また、図３のＳ３６の動作により、通信端末装置２においてもアカウント情報としてＩＰ電話番号「０５０ｒｒｒｒｓｓｓｓ」とタグ情報であるタグコード「０００２」とを対応づけて記憶しておく。
【００４６】
図７では、タグコード０００２の無線タグ５を所持したユーザが通信端末装置２の近くから通信端末装置３の近くへ移動した場合を示している。例えばユーザが自席から会議室などに移動した場合などが想定される。この場合には、まず、通信端末装置２においてはユーザの移動によって、そのユーザが所持しているタグコード０００２の無線タグ５が検出できなくなる。そのため、図３に示したＳ３９の動作によって、検出されなくなったタグコード０００２の無線タグ５に対応するアカウント情報の削除を登録サーバ１へ要求する。これによって、通信端末装置２において当該ユーザのＩＰ電話番号「０５０ｒｒｒｒｓｓｓｓ」で着信することはなくなる。また、図３のＳ４０の動作により、通信端末装置２に記憶されているＩＰ電話番号「０５０ｒｒｒｒｓｓｓｓ」とタグ情報であるタグコード「０００２」との対応づけについても削除する。
【００４７】
そして、移動先に設置されている通信端末装置３がユーザが所持するタグコード０００２の無線タグ５を検出すると、その無線タグ５から情報を読み出して対応するアカウント情報であるＩＰ電話番号「０５０ｒｒｒｒｓｓｓｓ」を登録サーバ１へ登録する。これによって、登録サーバ１にはタグコード０００２に対応するアカウント情報としてＩＰ電話番号「０５０ｒｒｒｒｓｓｓｓ」と通信端末装置３の端末識別子としてＩＰアドレス「１９２．１６８．０．２」とが対応づけられて登録され、以後はそのユーザのＩＰ電話番号「０５０ｒｒｒｒｓｓｓｓ」での着信を通信端末装置３で受けることができるようになる。また、通信端末装置３はＩＰ電話番号「０５０ｒｒｒｒｓｓｓｓ」とタグコード「０００２」とを対応づけて記憶しておく。
【００４８】
なお、ユーザが通信端末装置３の近くに移動したが、通信端末装置３が無線タグ５の検出を行う前に、そのユーザのＩＰ電話番号で着信した場合には、登録サーバ１は該当端末不明の情報を付加した呼び出しコマンドを各通信端末装置２，３に送り、それぞれの通信端末装置２，３が無線タグ５の検出処理を行う。これによって、無線タグ５が検出できた通信端末装置が着信を受けることになる。
【００４９】
このようにして、ユーザが移動しても、同じＩＰ電話番号での着信を、移動先においてユーザの近くに設置されている通信端末装置で受けることができ、従来の公衆回線網の固定電話にはなかった番号ポータビリティを実現することができる。また、ユーザが特別の操作を行うことなしに、同じＩＰ電話番号で着信する装置が変更されるので、ユーザの負担を軽減することができる。さらに、携帯電話などを持ち歩く必要もない。
【００５０】
なお、無線タグ５はＩＰ電話専用でなくてよく、例えば社員証など、他の無線タグと兼用することも可能であり、その場合にはＩＰ電話のために特別の無線タグを持ち歩く必要もなくなる。
【図面の簡単な説明】
【００５１】
【図１】本発明の実施の一形態を示すブロック図である。
【図２】記憶部１１に記憶されているＩＰ電話識別子と装置識別子の一例の説明図である。
【図３】通信端末装置における無線タグ検出時の動作の一例を示すフローチャートである。
【図４】登録サーバにおける着信時の動作の一例を示すフローチャートである。
【図５】通信端末装置における着信時の動作の一例を示すフローチャートである。
【図６】本発明の実施の一形態における動作の具体例の説明図である。
【図７】本発明の実施の一形態における動作の具体例の説明図（続き）である。
【符号の説明】
【００５２】
１…登録サーバ、２，３…通信端末装置、４…ネットワーク、５…無線タグ、１１…記憶部、１２…呼出処理部、１３…登録変更部、２１…タグ検出部、２２…通信制御部、２３…通話部、２４…記憶部。
【図１】
2007081774.tif 000003
【図２】
2007081774.tif 000004
【図３】
2007081774.tif 000005
【図４】
2007081774.tif 000006
【図５】
2007081774.tif 000007
【図６】
2007081774.tif 000008
【図７】
2007081774.tif 000009